(57)【特許請求の範囲】
【請求項１】
引戸がガイドレールにより誘導されて、出入り用開口が設けられる壁に対面した開位置と、出入り用開口と対面した位置で出入り方向と同方向にスライドして出入り用開口を塞ぐ閉位置との間で平行移動可能となっている引戸構造であって、上記ガイドレールは、出入り方向に対して直角方向に延設されてその長さ方向の略半分が壁と対面し且つ残りの略半分が出入り用開口と対面する位置に設置される直線状レールと、引戸を出入り用開口と対面した位置で出入り方向と同方向にスライドさせるための傾斜部を有する傾斜状レールとで構成され、引戸の上端部を吊り下げる吊り部材は、直線状レールにガイドされて出入り方向に対して直角方向のみに直進する第１の直進用ローラー部材と、第１の直進用ローラー部材に支持され且つ傾斜状レールにガイドされて出入り方向と同方向のみに直進する第２の直進用ローラー部材とで構成されると共に、第２の直進用ローラー部材に引戸の上端部を吊り下げる引戸吊持手段が設けられ、天板と側板とからなる上レールカバーの下面の開口に下カバーが装着され、上記第１の直進用ローラー部材と上記第２の直進用ローラー部材からなる吊り部材が上レールカバーと下カバーとの間に配置され、上レールカバー内に第１の直進用ローラー部材をガイドする上記直線状レールが設けられ、下カバーに溝を穿設することで上記傾斜状レールが形成されたことを特徴とする引戸構造。
【請求項２】
傾斜状レールの傾斜部は平面視で円弧状に湾曲形成されていることを特徴とする請求項１記載の引戸構造。
【請求項３】
壁の下端部に下レールを設けると共に、下レールにガイドされる下ガイド部材を引戸の下端部に下ガイド部材の長孔を介して上下に高さ調整自在にネジにて取り付けたことを特徴とする請求項１又は請求項２記載の引戸構造。
【請求項４】
下レールを壁の下端部に設置される巾木に一体形成したことを特徴とする請求項３記載の引戸構造。
【請求項５】
床面に傾斜状レールと追随する形状をした床直付けガイドレールを設置すると共に、床直付けガイドレールにガイドされる下ランナーを引戸の下端部に取り付けたことを特徴とする請求項１又は請求項２記載の引戸構造。
【発明の詳細な説明】
【０００１】
【発明の属する技術分野】
本発明は、住宅等の部屋に使用される引戸構造であって、詳しくは引戸がガイドレールにより誘導されて、出入り用開口が設けられる壁に対面した開位置と、引戸を出入り用開口と対面した位置で出入り方向と同方向にスライドして出入り用開口を塞ぐ閉位置との間で平行移動可能となっている引戸構造に関するものである。
【０００２】
【従来の技術】
一般の引戸１’は、図１４に示すように、同一直線上に移動させることで出入り用開口２の開閉を行なっており、この種の引戸１’は遮音性、密閉性が低下するという問題があり、しかも引戸１’に反りが発生すると、引戸１’と壁４とが擦れて、スムーズに開閉できなくなるという問題もある。
【０００３】
そこで、従来、例えば図１５に示すように、家具門口５２（出入り用開口）に沿って斜前方に延びるように固定された第一レール５０（固定レール）に、平面視櫛形をした第二レール５１（可動レール）を摺動自在にガイドすると共に、第二レール５１に対して引戸１”を取り付け、引戸１”を開くと、図１５（ｂ）のように第二レール５１が第一レール５０の前端部に移動して、引戸１”は壁４と対面する位置まで移動し、引戸１”を閉じると、図１５（ａ）のように第二レール５１が第一レール５０の後端部に移動して、引戸１”が斜めに移動して家具門口５２を塞ぐ位置まで移動するものが開示されている。（例えば、特許文献１参照）。
【０００４】
また、他の従来例として、レール上を移動する第１の車輪と第２の車輪とをそれらの軸線の向きが直交する関係になるように走行台に軸支し、スライディングドアの走行方向を直角方向に変換させる吊車装置が開示されている（例えば、特許文献２参照。）。
【０００５】
【特許文献１】
特開昭６１−１１３９８１号公報（第１図、第２図）
【特許文献２】
特開昭５７−１２７０８３号公報（第１図、第２図）
【０００６】
【発明が解決しようとする課題】
ところで、上記特許文献１に開示されているものでは、引戸１”を開いた状態では第二レール５１が家具門口５２の前方に露出して突出するために、外観が悪くなるという問題があり、しかも第二レール５１（可動レール）を第一レール５０（固定レール）に対して斜めに移動させる機構となるため、レールの構造が複雑化するという問題もある。
【０００７】
なお、上記特許文献２には引戸を壁に対面した開位置と、閉位置直前で出入り方向と同方向にスライドして出入り用開口を塞ぐ閉位置との間で平行移動させる構造についての開示はない。
【０００８】
本発明は、上記の従来例の問題点に鑑みて発明したものであって、その目的とするところは、引戸の開位置では外観が良く、閉位置では出入り用開口を確実に塞ぐことができて高い防音性、気密性を確保できるものでありながら、引戸が出入り方向と同方向にスライドするときにガイドレールと吊り部材との間で突っかかりや、がたつきが生じるのを防止でき、スムーズに開閉操作できるようにした引戸構造を提供することにあり、他の目的とするところは、引戸の横ブレを防止できる引戸構造を提供することにあり、更に他の目的とするところは、下レールを備えたものでありながら、床面のバリアフリー化に対応できる引戸構造を提供することにある。
【０００９】
【課題を解決するための手段】
上記課題を解決するために本発明にあっては、引戸１がガイドレール２により誘導されて、出入り用開口３が設けられる壁４に対面した開位置と、引戸１を出入り用開口３と対面した位置で出入り方向Ｃと同方向にスライドして出入り用開口３を塞ぐ閉位置との間で平行移動可能となっている引戸構造であって、上記ガイドレール２は、出入り方向Ｃに対して直角方向Ｄに延設されてその長さ方向の略半分が壁４と対面し且つ残りの略半分が出入り用開口３と対面する位置に設置される直線状レール２Ａと、引戸１を出入り用開口３と対面した位置で出入り方向Ｃと同方向にスライドさせるための傾斜部１０を有する傾斜状レール２Ｂとで構成され、引戸１の上端部１ａを吊り下げる吊り部材５は、直線状レール２Ａにガイドされて出入り方向Ｃに対して直角方向Ｄのみに直進する第１の直進用ローラー部材６と、第１の直進用ローラー部材６に支持され且つ傾斜状レール２Ｂにガイドされて出入り方向Ｃと同方向のみに直進する第２の直進用ローラー部材７とで構成されると共に、第２の直進用ローラー部材７に引戸１の上端部１ａを吊り下げる引戸吊持手段９が設けられ、天板２４と側板２５とからなる上レールカバー２２の下面の開口に下カバー２３が装着され、上記第１の直進用ローラー部材６と上記第２の直進用ローラー部材７からなる吊り部材５が上レールカバー２２と下カバー２３との間に配置され、上レールカバー２２内に第１の直進用ローラー部材６をガイドする上記直線状レール２Ａが設けられ、下カバー２３に溝を穿設することで上記傾斜状レール２Ｂが形成されたことを特徴としており、このように構成することで、引戸１の吊り部材５は閉位置直前で傾斜状レール２Ｂに沿って傾斜して移動するが、この傾斜した移動軌跡Ｆのうち垂直移動成分Ｆ２を第１の直進用ローラー部材６が受け持ち、水平移動成分Ｆ１を第２の直進用ローラー部材７が受け持つことによって、傾斜移動を直進移動に変換でき、傾斜状レール２Ｂに対する吊り部材５の追随性が良くなる。従って、ガイドレール２と吊り部材５との間で突っかかりや、がたつきが生じるのを防止できるようになり、引戸１をスムーズに開閉できるようになる。
【００１０】
また上記傾斜状レール２Ｂの傾斜部１０は、平面視で円弧状に湾曲形成されているのが好ましく、この場合、吊り部材５の移動軌跡Ｆが傾斜部１０に沿って緩やかな円弧を描くようになり、これにより引戸１をよりスムーズに開閉できるものである。
【００１１】
また上記壁４の下端部に下レール１１を設けると共に、下レール１１にガイドされる下ガイド部材１２を引戸１の下端部１ｂに下ガイド部材１２の長孔４２ａを介して上下に高さ調整自在にネジ４２ｂにて取り付けるのが好ましく、この場合、床面に下レール１１を設置する必要がなくなり、床面のバリアフリー化に対応できると共に、下ガイド部材１２によって引戸１の下端部１ｂの横ブレを防止でき、よりスムーズな開閉動作ができるようになる。また下ガイド部材１２の高さ位置を簡単に調整できる。
【００１２】
また上記下レール１１を壁４の下端部に設置される巾木１３に一体形成するのが好ましく、この場合、ゴミや埃が下レール１１内に溜まりにくく、掃除もしやすくなり、また下レール１１の存在が目立たず、デザイン性が向上する。
【００１３】
また上記床面１４に傾斜状レール２Ｂと追随する形状をした床直付けガイドレール１５を設置すると共に、床直付けガイドレール１５ガイドされる下ランナー１６を引戸１の下端部１ｂに取り付けるのが好ましく、この場合、床直付けガイドレール１５にガイドされて下ランナー１６が引戸１の上端部１ａに設けた吊り部材５と同じ移動軌跡をたどることとなり、引戸１の横ブレ防止を一層図ることができる。
【００１４】
【発明の実施の形態】
以下、本発明を添付図面に示す実施形態に基づいて説明する。
【００１５】
図１は、本実施形態のガイドレール２を構成する直線状レール２Ａ及び傾斜状レール２Ｂ，２Ｂを説明する平面断面図、図２は引戸１の開閉状態を説明する概略平面図、図３乃至図５は吊り部材５の説明図である。
【００１６】
引戸１はガイドレール２により誘導されて、図２に示すように、壁４（袖壁）に対面した開位置と、出入り用開口３と対面した位置（以下、閉位置直前という。）で出入り方向Ｃと同方向にスライドして出入り用開口３を塞ぐ閉位置との間で平行移動可能となっている。
【００１７】
ここで、引戸枠１８は、例えば図６に示すように、上枠１９と戸先側の縦枠２０と戸尻側の縦枠２０と中央の中方立２１とで構成されており、戸先側の縦枠２０と中方立２１との間が引戸１にて開閉される出入り用開口３となっており、戸先側の縦枠２０と中方立２１との間は戸袋部２６となっている。なお、戸尻側の縦枠２０は省略可能である。
【００１８】
引戸１の上端部１ａの前後２箇所にはそれぞれ吊り部材５が設けられ、引戸枠１８の上枠１９にガイドレール２が設置されている。
【００１９】
ガイドレール２は、図１に示すように、１つの長尺の直線状レール２Ａと、前後２つの短尺の傾斜状レール２Ｂとで構成されている。
【００２０】
ここでは、図４に示すように、直線状レール２Ａは下面が開口した断面箱形状の上レールカバー２２に設けられ、傾斜状レール２Ｂは上レールカバー２２の下面開口に装着される下カバー２３に設けられている。
【００２１】
上レールカバー２２は、図４に示すように、天板２４と左右の側板２５とからなり、左右の側板２５の内面には、左右一対の略Ｕ形レール片からなる直線状レール２Ａが突設されている。上レールカバー２２はその巾方向Ｅの略半分が上壁４ａと上枠１９とのなす上部凹所２７内に収納され、天板２４の中央部から上方に突出した立上り片２８が上壁４ａの側面にネジ固定され、天板２４の一端から横方向に突出した横片２９が上壁４ａの下面にネジ固定されている。ここでは、天板２４の横片２９は上枠１９の上面に設けた切欠き８０内に挿入され、これにより、上レールカバー２２の一方の側板２５を上枠１９の側面に密着させた状態で上レールカバー２２を上壁４ａに対して固定できるようになっている。
【００２２】
また、上レールカバー２２は、図１に示すように、引戸枠１８の戸先側の縦枠２０と戸尻側の縦枠２０との間の全長に亘って延設され、その長さ方向の略半分が中方立２１と戸尻側の縦枠２０との間の壁４と対面する位置に位置し、残りの略半分が出入り用開口３と対面する位置に設置される。これにより、直線状レール２Ａは出入り方向Ｃに対して直角方向Ｄに延設された状態で、その長さ方向の略半分が壁４と対面し且つ残りの略半分が出入り用開口３と対面するようになっている。また、上レールカバー２２はその巾方向Ｅの内端側が出入り用開口３の内側に入り込んでいる。図１中の２２は化粧額縁である。
【００２３】
さらに、上レールカバー２２の下面開口には下方から下カバー２３が嵌め込まれ、上レールカバー２２の下面開口の左右両側面に設けた一対の係止突起３０に対して下カバー２３の両端部に設けた係止爪３１がそれぞれ係止することで、上レールカバー２２に対して下カバー２３を下方から係止可能となっている。下カバー２３には、引戸１を閉位置直前で出入り方向Ｃと同方向にスライドさせるための傾斜部１０を有する傾斜状レール２Ｂが設けられている。本例では図５に示すように、下カバー２３の中央部分を上下にくりぬいて、直線状レール２Ａと略平行に延びた延出部１７と、延出部１７に連らなり出入り用開口３に向かって傾斜した傾斜部１０とが形成されている。ここでは、傾斜部１０は、平面視で円弧状に湾曲形成されている。また引戸１の前後２箇所に設けた吊り部材５，５に個別に対応して、下カバー２３の前後２箇所に傾斜状レール２Ｂ，２Ｂが形成されている。
【００２４】
一方、引戸１の吊り部材５は、直線状レール２Ａにガイドされて出入り方向Ｃに対して直角方向Ｄのみに直進する第１の直進用ローラー部材６と、第１の直進用ローラー部材６に支持され且つ傾斜状レール２Ｂにガイドされて出入り方向Ｃと同方向のみに直進する第２の直進用ローラー部材７とで構成されている。
【００２５】
第１の直進用ローラー部材６は、図３、図４に示すように、台車３２の四隅に設けたローラー取付金具３３にローラー４５が各々取り付けられており、これら各ローラー４５が直線状レール２Ａ上を転動することで第１の直進用ローラー部材６は直線状レール２Ａと同方向（出入り方向Ｃに対して直角方向）のみに直進移動するようになっている。この第１の直進用ローラー部材６上には、図４、図５に示すように、第１の直進用ローラー部材６の移動方向に対して直角方向Ｄのみに直進可能な第２の直進用ローラー部材７が搭載されている。第２の直進用ローラー部材７は第１の直進用ローラー部材６よりも小型であり、その四隅にローラー４６がそれぞれ回転自在に取り付けられている。
【００２６】
第１の直進用ローラー部材６の台車３２の中央部には、第１の直進用ローラー部材６の移動方向に対して直角方向Ｄ（出入り方向Ｃと同方向）に向かって直線上に延びた長孔状のガイド孔３５が貫通形成されており、ガイド孔３５の両側方に第２の直進用ローラー部材７の各ローラー４６が配置される。第２の直進用ローラー部材７の中央下面から下方に突出したガイド手段８を構成するガイド軸８ａがガイド孔３５にスライド自在に挿通され、さらにガイド軸８ａは下カバー２３に設けた傾斜状レール２Ｂにスライド自在に挿通されている。なおガイド軸８ａの平面断面形状は円形に限らず、四角形であってもよい。
【００２７】
ここで、引戸１は閉位置直前で傾斜状レール２Ｂに沿って傾斜した移動軌跡Ｆとなるが、このとき吊り部材５の移動軌跡Ｆは第１の直進用ローラー部材６と第２の直進用ローラー部材７とによって、垂直移動成分Ｆ２と水平移動成分Ｆ１とに振り分けられて、後述のように傾斜移動を直進移動に変換できる構造となっている。なお、第２の直進用ローラー部材７の上面には複数の浮き上がり防止用凸部４４が上方に突設されており、この浮き上がり防止用凸部４４の上端部が上レールカバー２２の天板２４下面に摺接することで、第２の直進用ローラー部材７の浮き上がりを防止でき、ひいては吊り部材５全体の浮き上がりを防止でき、引戸１の上下のがたつきを防止できるようになっている。
【００２８】
さらに第２の直進用ローラー部材７のガイド軸８ａは、引戸１の上端部１ａを吊り下げる引戸吊持手段９を兼用している。ここでは、ガイド軸８ａの下端部を引戸１の上端部１ａに対して第２の直進用ローラー部材７の高さを調整するための調整機構３６に連結している。なおガイド軸８ａとは別に引戸吊持軸を設けてもよい。
【００２９】
しかして、引戸１の閉位置直前で吊り部材５は傾斜状レール２Ｂにより傾斜した移動軌跡Ｆ（図５）をとる。この傾斜した移動軌跡Ｆのうち垂直移動成分Ｆ２を第１の直進用ローラー部材６が受け持ち、水平移動成分Ｆ１を第２の直進用ローラー部材７が受け持つ。つまり、引戸１を吊り下げている第２の直進用ローラー部材７のガイド軸８ａが図５に示すガイド孔３５の一端Ｐ１側→中央側Ｐ２→他端Ｐ３側に移動する。これにより、第２の直進用ローラー部材７は図５の矢印Ｃ１で示す方向（出入り方向Ｃと同方向）のみに直進移動する。このとき、第１の直進用ローラー部材６は図５の矢印Ｄ１で示す方向（直線状レール２Ａの戸当たり側）に向かって直進移動する。なお、引戸１を開くときはこれとは逆の動作となる。
【００３０】
このように、吊り部材５全体の傾斜移動を２つの直進用ローラー部材６，７による直進移動に変換することで、傾斜状レール２Ｂに対する吊り部材５の追随性が良くなり、従って、ガイドレール２と吊り部材５との間で突っかかりや、がたつきが生じるのを防止できるようになり、引戸１をスムーズに開閉できるようになる。特に閉位置から開くときの初動操作力を軽減できるので、引戸１の開閉操作性が大幅に向上するものである。しかも浮き上がり防止用凸部によって引戸１の浮き上がりを防止しているので、引戸１の上下方向のがたつきも同時に防止できるものである。
【００３１】
また、引戸１の開位置では従来のように可動レールが突出して外観が損なわれるようなこともないので、見栄えが良くなる。また引戸１の閉位置では、出入り方向Ｃと同方向にスライドして出入り用開口３に入り込んだ状態で出入り用開口３を確実に塞ぐようになるので、高い防音性、気密性を確保でき、音漏れや明かり漏れ、隙間風等の課題を解決できると共に、引戸１が出入り用開口３に入り込んでフラットに納まることで引戸１と壁４との一体感が得られる。そのうえ、直線状レール２Ａと傾斜状レール２Ｂとを上レールカバー２２と下カバー２３とに一体に設けており、ガイドレール２の構成が簡易となり、しかもガイド軸８ａが引戸吊持手段９を兼用しているので、吊り部材５の部品数を削減でき、施工性が良くなるという利点もある。
【００３２】
次に、引戸１の下端部１ｂをガイドする機構について説明する。なお、引戸１の上端部１ａの吊り部材５及びガイドレール２については前記実施形態と同様であり、説明は省略する。本例では壁４の戸袋部４ｂの下端部に、図６、図７に示すように、傾斜状レール２Ｂ（図１）と追随する形状をした下レール１１が設けられている。本例の下レール１１は、図８に示すように、壁４の下端部に設置された巾木１３に一体形成されている。この壁４の巾木１３は、戸尻側の縦枠２０を挟んで、壁４の巾木１３ｂ（図６）に連続した外観を呈している。ここで、壁４の巾木１３は、断面コ字状の巾木本体１３ａの上部に断面逆コ字状の下レール１１が一体化されたものであり、下レール１１は、傾斜状レール２Ｂと同様、出入り用開口３側に向かって円弧状に湾曲した傾斜部１０’を有している。なお、本例では下レール１１の上に巾木本体１３ａを一体に連設しているが、巾木本体１３ａを省略して下レール１１のみで巾木を形成することも可能である。ここでは図８に示すように、壁４の中方立２１側の下端部に平面視略台形状の凹部３８を切欠き形成し、この凹部３８内に下レール１１の傾斜部１０’を挿入してある。この下レール１１には、図９に示すように、引戸１の戸当り側とは反対側の側端面の下端部に取り付けた下ガイド部材１２がスライド自在に挿入されている。下ガイド部材１２は、ガイドローラー４０と、ガイドローラー４０を引戸１に取り付けるガイドローラー取付具４１とからなる。ガイドローラー取付具４１は、図１０に示すように、引戸１の側端面に対してＬ字片４２がネジ固定され、このＬ字片４２から水平に突出する延出片４３の先端に縦軸回りに回転自在にガイドローラー４０を取り付け、このガイドローラー４０を下レール１１内に走行自在に挿入している。なおガイドローラー４０の高さ調整はＬ字片４２の長孔４２ａをネジ４２ｂに沿って上下させることで行なうことができる。
【００３３】
しかして、巾木１３に下レール１１を一体に設けたので、床面１４に下レール１１を設置する必要がなくなり、床面１４のバリアフリー化に対応できると共に、ゴミや埃が下レール１１内に溜まりにくく、掃除もしやすくなり、また床面１４の不陸にも対応できる上に、下レール１１の存在が目立たないものであり、まそのうえ下レール１１の傾斜部１０’を挿入する下隅凹所３８は壁４の下端部の隅部に設けているので、下隅凹所３８が目立ちにくく、引戸１を閉じたときに壁４や巾木１３の外観を損なうことがないものであり、結果、デザイン性が向上するという利点がある。また、下ガイド部材１２によって引戸１の下端部１ｂの横ブレを防止できるので、よりスムーズな開閉動作が可能となる。また本例では下レール１１は傾斜状レール２Ｂと追随する形状をしているので、閉位置直前でガイドローラー４０は出入り方向Ｃと同方向にスライドすることができ、しかもガイドローラー４０は縦軸回りに回転できるので、下レール１１の傾斜部１０’に対する追随性が良くなり、これにより、引戸１の横ブレ防止に効果的となる。しかもガイドローラー４０は、ガイドローラー取付具４１によって引戸１から所定の距離Ｈをあけて保持されているため、図８に示すように、ガイドローラー４０が下レール１１の傾斜部１０’に入り込んだときでも、引戸１の下端部１ｂがガイドローラー４０に引っ張られて傾くようなことがなく、これにより引戸１によって出入り用開口３を確実に密閉することができる。また下ガイド部材１２を引戸１の下端部１ｂの１箇所に設けることで、構造を簡易化できるという利点もある。
【００３４】
図１１〜図１３は引戸１の下端部１ｂをガイドする機構の他例として、床面１４に、傾斜状レール２Ｂ（図１）と追随する形状をした床直付けガイドレール１５を設置すると共に、引戸１の下端部１ｂに縦軸回りに回転自在に取り付けた下ランナー１６を床直付けガイドレール１５に走行自在に支持したものである。なお、他の構成は図１と同様であり、異なる点だけを述べる。本例の床直付けガイドレール１５は断面半円形状に形成され、床面１４上に設置されている。この床直付けガイドレール１５は、図１の傾斜状レール２Ｂの真下に配置されており、傾斜状レール２Ｂと同様、出入り用開口３側に向かって円弧状に湾曲した傾斜部１０”を有している。引戸１の下端部１ｂには図１２、図１３に示すように、床直付けガイドレール１５にガイドされる下ランナー１６が取り付けられている。ここでは、下ランナー１６として、図１２（ｂ）の縦軸Ｍを中心に矢印イで示す水平回りに回転自在なキャスター１６ａ（回転戸車）が用いられる。
【００３５】
しかして、床直付けガイドレール１５を傾斜状レール２Ｂと追随する形状としたので、床直付けガイドレール１５にガイドされて下ランナー１６は閉位置直前で出入り方向Ｃと同方向にスライドすることができ、引戸１の横ブレ防止を図ることができる。また、キャスター１６ａは図１２（ｂ）のように縦軸回りに回転できるので、床直付けガイドレール１５に対するキャスター１６ａの追随性が良くなり、これによりキャスター１６ａと床直付けガイドレール１５との間でのがたつきを一層防止でき、その結果、引戸１の開閉操作性が一層向上するものである。なお下ランナー１６としてキャスター１６ａには限定されず、例えばバネ付き凸状ガイドを引戸１の下端部１ｂから突出させ、床直付けガイドレール１５にバネ付き凸状ガイド（図示せず）をガイドする凹溝を設けたものであってもよい。また、引戸１の戸当たり側Ｇと反対側の下端部のみに下ランナー１６を設け、出入り用開口３を避けて床直付けガイドレール１５を設置することが望ましく、この場合、出入り用開口３の床面１４をバリアフリー化することが可能となる。もちろん、引戸１の下端部１ｂの２箇所に下ランナー１６を取り付けると共に、出入り用開口３の床面１４に床直付けガイドレール１５を設置してもよいものである。
【００３６】
本発明の引戸構造は、手動引戸のみならず電動引戸の分野にも広く適用可能である。
【００３７】
【発明の効果】
上述のように請求項１記載の発明にあっては、引戸がガイドレールにより誘導されて、出入り用開口が設けられる壁に対面した開位置と、出入り用開口と対面した位置で出入り方向と同方向にスライドして出入り用開口を塞ぐ閉位置との間で平行移動可能となっている引戸構造であって、上記ガイドレールは、出入り方向に対して直角方向に延設されてその長さ方向の略半分が壁と対面し且つ残りの略半分が出入り用開口と対面する位置に設置される直線状レールと、引戸を出入り用開口と対面した位置で出入り方向と同方向にスライドさせるための傾斜部を有する傾斜状レールとで構成され、引戸の上端部を吊り下げる吊り部材は、直線状レールにガイドされて出入り方向に対して直角方向のみに直進する第１の直進用ローラー部材と、第１の直進用ローラー部材に支持され且つ傾斜状レールにガイドされて出入り方向と同方向のみに直進する第２の直進用ローラー部材とで構成されると共に、第２の直進用ローラー部材に引戸の上端部を吊り下げる引戸吊持手段が設けられ、天板と側板とからなる上レールカバーの下面の開口に下カバーが装着され、上記第１の直進用ローラー部材と上記第２の直進用ローラー部材からなる吊り部材が上レールカバーと下カバーとの間に配置され、上レールカバー内に第１の直進用ローラー部材をガイドする上記直線状レールが設けられ、下カバーに溝を穿設することで上記傾斜状レールが形成されたので、引戸は開位置では従来のように可動レールが見えて外観が損なわれるようなことがなく、また、引戸の閉位置では出入り用開口を確実に塞ぐことができて高い防音性、気密性を確保できる。さらに、引戸の閉位置直前で吊り部材は傾斜状レールに沿って傾斜した移動軌跡をとるが、この傾斜した移動軌跡のうち垂直移動成分を第１の直進用ローラー部材が受け持ち、水平移動成分を第２の直進用ローラー部材が受け持つことによって、傾斜移動を直進移動に変換することができ、傾斜状レールに対する吊り部材の追随性が良くなる。従って、ガイドレールと吊り部材との間で突っかかりや、がたつきが生じるのを防止できるようになり、引戸をスムーズに開閉できるようになる。特に閉位置から開くときの初動操作力を軽減できるので、引戸の開閉操作性が大幅に向上するものである。
【００３８】
また請求項２記載の発明は、請求項１記載の効果に加えて、傾斜状レールの傾斜部は平面視で円弧状に湾曲形成されているので、閉位置直前で吊り部材の移動軌跡が傾斜部に沿って緩やかな円弧を描くようになり、引戸をスムーズに開閉できるものとなる。
【００３９】
また請求項３記載の発明は、請求項１又は請求項２記載の効果に加えて、壁の下端部に下レールを設けると共に、下レールにガイドされる下ガイド部材を引戸の下端部に下ガイド部材の長孔を介して上下に高さ調整自在にネジにて取り付けたので、床面に下レールを設置する必要がなくなり、床面のバリアフリー化に対応できると共に、下ガイド部材によって引戸の下端部の横ブレを防止でき、よりスムーズな開閉動作が可能となる。また下ガイド部材の高さ位置を簡単に調整できる。
【００４０】
また請求項４記載の発明は、請求項３記載の効果に加えて、下レールを壁の下端部に設置される巾木に一体形成したので、下レールを巾木に組み込むことで、ゴミや埃が下レール内に溜まりにくく、掃除もしやすくなり、また下レールの存在が目立たず、デザイン性が向上する。
【００４１】
また請求項５記載の発明は、請求項１又は請求項２記載の効果に加えて、床面に傾斜状レールと追随する形状をした床直付けガイドレールを設置すると共に、床直付けガイドレールにガイドされる下ランナーを引戸の下端部に取り付けたので、床直付けガイドレールにガイドされて閉位置直前で下ランナーが出入り方向と同方向にスライドすることにより、引戸の横ブレを防止でき、よりスムーズな開閉動作が可能となる。
【図面の簡単な説明】
【図１】本発明の実施形態の一例を示す平面断面図である。
【図２】同上の引戸の移動軌跡を説明する概略平面図である。
【図３】同上の吊り部材を説明する切欠き斜視図である。
【図４】同上の吊り部材を説明する側面断面図である。
【図５】同上の吊り部材を構成する第１の直進用ローラー部材と第２の直進用ローラー部材のそれぞれの直進移動方向を説明する平面図である。
【図６】同上の下レール付き巾木を説明する斜視図である。
【図７】同上の巾木と引戸の移動状態を説明する平面断面図である。
【図８】同上の下レールの傾斜部付近の平面断面図である。
【図９】同上の下レールにガイドされる下ランナーを説明する切欠き斜視図である。
【図１０】（ａ）は同上のガイドローラー取付具の平面図、（ｂ）は正面図、（ｃ）は側面図である。
【図１１】本発明の他の実施形態の下レールを説明する平面図である。
【図１２】（ａ）は同上の下レールにガイドされるキャスターを引戸の下端部に取り付けた状態を説明する側面断面図、（ｂ）は平面断面図である。
【図１３】（ａ）は同上のキャスターの平面図、（ｂ）は正面図、（ｃ）は図１１のＪ−Ｊ線から見た側面断面図である。
【図１４】一般の引戸の説明図である。
【図１５】（ａ）（ｂ）は従来の引戸の説明図である。
【符号の説明】
１  引戸
１ａ  上端部
１ｂ  下端部
２  ガイドレール
２Ａ  直線状レール
２Ｂ  傾斜状レール
３  出入り用開口
４  壁
５  吊り部材
６  第１の直進用ローラー部材
７  第２の直進用ローラー部材
８  ガイド手段
９  引戸吊持手段
１０  傾斜部
１１  下レール
１２  下ガイド部材
１３  巾木
１４  床面
１５  床直付けガイドレール
１６  下ランナー
Ｃ  出入り方向
Ｄ  出入り方向と直角方向
【図１】
0003671036.tif 000002
【図２】
0003671036.tif 000003
【図３】
0003671036.tif 000004
【図４】
0003671036.tif 000005
【図５】
0003671036.tif 000006
【図６】
0003671036.tif 000007
【図７】
0003671036.tif 000008
【図８】
0003671036.tif 000009
【図９】
0003671036.tif 000010
【図１０】
0003671036.tif 000011
【図１１】
0003671036.tif 000012
【図１２】
0003671036.tif 000013
【図１３】
0003671036.tif 000014
【図１４】
0003671036.tif 000015
【図１５】
0003671036.tif 000016